(57)【要約】【課題】  中央部分の屈曲が容易となって使用勝手が向上し、取付け対象との隙間が減少して浸水防止性能が向上するシールテープを提供する。【解決手段】  シールテープ１は、長手方向に帯状に延びた形状を有する屈曲自在のシール本体１２と、シール本体１２の裏面１４の中央部分１５に形成された溝状部１６と、シール本体１２の溝状部１６を除いた裏面１４に長手方向に延びる線条として形成された粘着体２０ａ〜２０ｅ及び粘着体２１ａ〜２１ｅと、溝状部１６の底面１７に線条として同様に形成された粘着体２２及び粘着体２３と、シール本体１２の幅方向の両端部から、シール本体１２の裏面１４側に突出するように矩形状に形成された突出部３０及び突出部３１とから構成される。このように構成すると、使用時の中央部分１５の曲げが容易となるため、使用勝手が向上し、シールテープ１と取付け対象との隙間が減少する。【選択図】  図３
2014122303.tif 000002
【特許請求の範囲】
【請求項１】
シールテープであって、
長手方向に帯状に延びた屈曲自在のシール本体と、
前記シール本体の一方面に形成された粘着体とを備え、
幅方向に折り曲げて使用される前記シール本体の中央部分の曲げ剛性が、他の部分の曲げ剛性より小さい、シールテープ。
【請求項２】
前記シール本体は同一素材で形成され、
前記中央部分の厚さは、前記他の部分の厚さより小さい、請求項１記載のシールテープ。
【請求項３】
前記粘着体は、前記長手方向に延びる複数の線条として形成され、前記線条は前記中央部分にも形成されると共にその幅は少なくとも前記中央部分の幅より小さい、請求項１又は請求項２記載のシールテープ。
【請求項４】
前記シール本体の幅方向の両端部には、前記粘着体側に突出する突出部が各々形成され、
前記突出部を除いて形成された前記線条の各々の先端よりなる第１の仮想平面に対して、前記突出部の各々の先端よりなる第２の仮想平面が前記シール本体側に位置し、
前記線条の高さは、使用時には前記突出部の突出高さに変形する、請求項３記載のシールテープ。
【発明の詳細な説明】
【技術分野】
【０００１】
この発明はシールテープに関し、特に壁面等の継ぎ目を覆うために使用するシールテープに関するものである。
【背景技術】
【０００２】
図６は、従来のシールテープの表面側の概略平面図であり、図７は、図６で示したＶＩＩ−ＶＩＩラインの拡大断面図である。
【０００３】
これらの図を参照して、シールテープ６１は、浴槽や洗面台、流し台等の付近の壁面等の継ぎ目を覆うために使用され、長手方向に帯状に延びた形状を有し、エラストマーからなるシール本体７２と、シール本体７２の裏面７４の全面に接着された粘着性を有する粘着体８１とから構成される。粘着体８１の粘着面８５は、浴槽等の付近の壁面に粘着する機能を有する。
【０００４】
次に、シールテープ６１の使用状態について説明する。
【０００５】
図８は、図６で示したシールテープを継ぎ目のある壁面に粘着したときの概略断面図である。
【０００６】
図を参照して、例えば浴槽の壁面４１と壁面４３とが当接している状態において、図を貫通する方向に継ぎ目４５が生じている。シールテープ６１は、継ぎ目４５を覆うように、短手方向の幅の中央部分７５を折れ目にして、シール本体７２側に屈曲され、壁面４２及び壁面４３に粘着されている。シールテープ６１の粘着面８５は、屈曲された水平方向においては壁面４２と、屈曲された垂直方向においては壁面４３と、それぞれ粘着した状態にある。
【０００７】
これによって、シールテープ６１が継ぎ目４５を塞ぐことになり、継ぎ目４５への水等の侵入を防止できるようになる。
【発明の概要】
【発明が解決しようとする課題】
【０００８】
上記のような従来のシールテープ６１では、その厚さが全体に一定で粘性を有する粘着体８１がシール本体７２の裏面７４の全面に接着されているため、粘着体８１を含むシールテープ６１は直角に屈曲させにくかった。その結果、シールテープ６１を屈曲させた状態で、図８で示した継ぎ目４５を覆うようにして、シールテープ６１を壁面４２及び壁面４３に沿わせて粘着させにくかった。又、シールテープ６１の外観色は、白色系がほとんどであり、継ぎ目４５を覆っていることが明らかとなり、外観上好ましいものではなかった。
【０００９】
そこで、次に示す他のシールテープが提案されている。
【００１０】
図９は、従来の他のシールテープの表面側の概略平面図であって、図６に対応した図であり、図１０は、図９で示したＸ−Ｘラインの拡大断面図であって、図７に対応した図である。
【００１１】
尚、このシールテープ６２にあっては、粘着体８２及び粘着体８３を除いては先の従来のシールテープ６１と同一であるため、ここではその相違点を中心に説明する。
【００１２】
これらの図を参照して、シールテープ６２は、図７で示したシールテープ６１において図７で示した粘着体８１の中央部分をなくしたものである。即ち、シール本体７２の中央部分７５には、粘着体が接着されていない。図１０を参照して、粘着体８２はシール本体７２の裏面７４の右側に、粘着体８３はシール本体７２の裏面７４の左側に、それぞれ面状に接着されている。
【００１３】
次に、シールテープ６２の使用状態について説明する。
【００１４】
図１１は、図９で示したシールテープを継ぎ目のある壁面に粘着したときの概略断面図であって、図８に対応した図である。
【００１５】
尚、シールテープ６２を粘着する壁面４２及び壁面４３の状態は、図８で示したものと同一であるため、ここでは相違点を中心に説明する。
【００１６】
図を参照して、シールテープ６２の中央部分７５には、粘着体が接着していないので、図６で示した先の従来のシールテープ６１に比べて、屈曲させやすくなっている。
【００１７】
しかしながら、上述のシールテープ６２では、中央部分７５には粘着機能がないので、継ぎ目４５を含む壁面４２及び壁面４３と、シールテープ６２との間に隙間４６が生じやすくなる。そのため、この隙間４６に、シールテープ６２における帯状の長手方向の端部から水等が入りやすくなり、継ぎ目４５から壁面４１と壁面４３との間へと、水等の液体が侵入する虞があった。
【００１８】
この発明は、上記のような課題を解決するためになされたもので、中央部分の屈曲が容易となって使用勝手が向上し、取付け対象との隙間が減少して浸水防止性能が向上するシールテープを提供することを目的とする。
【課題を解決するための手段】
【００１９】
上記の目的を達成するために、請求項１記載の発明は、シールテープであって、長手方向に帯状に延びた屈曲自在のシール本体と、シール本体の一方面に形成された粘着体とを備え、幅方向に折り曲げて使用されるシール本体の中央部分の曲げ剛性が、他の部分の曲げ剛性より小さいものである。
【００２０】
このように構成すると、使用時の中央部分の曲げが容易となる。
【００２１】
請求項２記載の発明は、請求項１記載の発明の構成において、シール本体は同一素材で形成され、中央部分の厚さは、他の部分の厚さより小さいものである。
【００２２】
このように構成すると、厚さによって曲げやすさが変化する。
【００２３】
請求項３記載の発明は、請求項１又は請求項２記載の発明の構成において、粘着体は、長手方向に延びる複数の線条として形成され、線条は中央部分にも形成されると共にその幅は少なくとも中央部分の幅より小さいものである。
【００２４】
このように構成すると、中央部分に粘着体が全面に形成されているものに比べて中央部分の曲げが容易となると共に中央部分にも粘着力が生じる。
【００２５】
請求項４記載の発明は、請求項３記載の発明の構成において、シール本体の幅方向の両端部には、粘着体側に突出する突出部が各々形成され、突出部を除いて形成された線条の各々の先端よりなる第１の仮想平面に対して、突出部の各々の先端よりなる第２の仮想平面がシール本体側に位置し、線条の高さは、使用時には突出部の突出高さに変形する。
【００２６】
このように構成すると、使用時において突出部が取付け対象に当接する。
【発明の効果】
【００２７】
以上説明したように、請求項１記載の発明は、使用時の中央部分の曲げが容易となるため、使用勝手が向上すると共に取付け対象との隙間が減少する。
【００２８】
請求項２記載の発明は、請求項１記載の発明の効果に加えて、厚さによって曲げやすさが変化するため、用途に合わせた設定が容易となる。
【００２９】
請求項３記載の発明は、請求項１又は請求項２記載の発明の効果に加えて、中央部分に粘着体が全面に形成されているものに比べて中央部分の曲げが容易となると共に中央部分にも粘着力が生じるため、シール本体がより曲げやすくなると共に取付け対象との隙間が更に減少する。
【００３０】
請求項４記載の発明は、請求項３記載の発明の効果に加えて、使用時において突出部が取付け対象に当接するため、突出部によるシール効果が発揮される。
【図面の簡単な説明】
【００３１】
【図１】この発明の第１の実施の形態によるシールテープの表面側の概略平面図である。
【図２】図１で示したシールテープの裏面側の概略底面図である。
【図３】図１で示したＩＩＩ−ＩＩＩラインの拡大断面図である。
【図４】図３で示した“Ｘ”部分の拡大断面図であって、シールテープを壁面に粘着する前後の状態を示すものである。
【図５】図１で示したシールテープを継ぎ目のある壁面に粘着したときの概略断面図である。
【図６】従来のシールテープの表面側の概略平面図である。
【図７】図６で示したＶＩＩ−ＶＩＩラインの拡大断面図である。
【図８】図６で示したシールテープを継ぎ目のある壁面に粘着したときの概略断面図である。
【図９】従来の他のシールテープの表面側の概略平面図であって、図６に対応した図である。
【図１０】図９で示したＸ−Ｘラインの拡大断面図であって、図７に対応した図である。
【図１１】図９で示したシールテープを継ぎ目のある壁面に粘着したときの概略断面図であって、図８に対応した図である。
【発明を実施するための形態】
【００３２】
図１は、この発明の第１の実施の形態によるシールテープの表面側の概略平面図であり、図２は、図１で示したシールテープの裏面側の概略底面図であり、図３は、図１で示したＩＩＩ−ＩＩＩラインの拡大断面図である。
【００３３】
これらの図を参照して、シールテープ１は、長手方向に帯状に延びた形状を有し、アクリル系エラストマーからなる屈曲自在のシール本体１２と、シール本体１２の裏面１４の中央部分１５に形成された溝状部１６と、シール本体１２の溝状部１６を除いた裏面１４に長手方向に延びる線条として所定間隔で形成され、粘着性を有するスチレン系エラストマーからなる粘着体２０ａ〜２０ｅ及び粘着体２１ａ〜２１ｅと、溝状部１６の底面１７に長手方向に延びる線条として所定間隔で形成され、粘着性を有するスチレン系エラストマーからなる粘着体２２及び粘着体２３と、シール本体１２の幅方向の両端部から、シール本体１２の裏面１４側に突出するように矩形状に形成された突出部３０及び突出部３１とから構成される。
【００３４】
シール本体１２は同一素材で形成されているが、上述のように中央部分１５の厚さは、他の部分の厚さよりも小さい。即ち、幅方向に折り曲げて使用されるシール本体１２の中央部分１５の曲げ剛性が、他の部分の曲げ剛性よりも小さい。そのため、使用時の中央部分１５の曲げが容易となるため、後述するように使用勝手が向上する。又、このように構成すると、厚さによって曲げやすさが変化するため、用途に合わせた設定が容易となる。
【００３５】
更に、シールテープ１は、シール本体１２がアクリル系エラストマーで、粘着体がスチレン系エラストマーからなり、略透明色で構成される。即ち、シールテープ１の外観は、目立たないものとなり、継ぎ目４５を覆っていることが分かりにくいので、外観上好ましい。
【００３６】
図３を参照して、粘着体２０ａ〜２０ｅは、シール本体１２の裏面１４の右側において、シール本体１２の右端部に形成された突出部３０の左方から、溝状部１６の右方までの間に所定間隔で、略断面半円形状で形成されている。粘着体２１ａ〜２１ｅは、シール本体１２の裏面１４の左側において、粘着体２０ａ〜２０ｅと左右対称になるように同様に形成されている。一方、粘着体２２及び粘着体２３は、溝状部１６の底面１７において、左右対称に形成され、粘着体２０ａ〜２０ｅ及び粘着体２１ａ〜２１ｅとは同一種類のものである。尚、粘着体２２及び粘着体２３の幅は、中央部分１５に対して小さい幅となるように設定されている。
【００３７】
次に、シールテープ１の粘着体２０ａ〜２０ｅ及び粘着体２１ａ〜２１ｅの特徴について説明する。
【００３８】
図４は、図３で示した“Ｘ”部分の拡大断面図であって、シールテープを壁面に粘着する前後の状態を示すものである。
【００３９】
尚、粘着体２１ａ〜２１ｅは、粘着体２０ａ〜２０ｅと左右対称に形成されているため、片方のみを説明する。
【００４０】
図４の（１）を参照して、シールテープ１は、壁面４２に粘着される前の状態である。粘着体２０ａの高さＨ１は、シール本体１２の裏面１４を高さ基準として、略断面半円形状の粘着体２０ａの鉛直下方向に位置する先端までの高さを示し、粘着体２０ａ〜２０ｅの各々の先端よりなる第１の仮想平面Ａの高さでもある。突出部３０の高さＨ２は、シール本体１２の裏面１４を高さ基準として、矩形状の突出部３０の鉛直下方向に位置する先端までの高さを示し、突出部３０と突出部３１の各々の先端よりなる第２の仮想平面Ｂの高さでもある。粘着体２０ａの高さＨ１は、突出部３０の高さＨ２よりも高さＨ３の分だけ高くなるように設定されている。即ち、第１の仮想平面Ａに対して、第２の仮想平面Ｂがシール本体１２側に位置している。
【００４１】
図４の（２）を参照して、シールテープ１は、壁面４２に粘着された後の使用状態である。即ち、図４の（１）で示した矢印の方向に、シールテープ１を壁面４２に粘着させた状態である。粘着体２０ａは、図で示した二点鎖線から実線の状態へと変形して、壁面４２に粘着しているので、突出部３０は壁面４２と当接する。このとき、粘着体２０ａの高さは、突出部３０の高さＨ２になっている。
【００４２】
即ち、使用時にシールテープ１の突出部３０と壁面４２との間に隙間ができず、突出部３０が無いものに比べて、水等が侵入してくることをこの部分で防止できる。従って、突出部３０によるシール効果が発揮される。
【００４３】
次に、シールテープ１の使用状態について説明する。
【００４４】
図５は、図１で示したシールテープを継ぎ目のある壁面に粘着したときの概略断面図である。
【００４５】
尚、シールテープ１を粘着する壁面４２及び壁面４３の状態は、図８で示したものと同一であるため、ここでは相違点を中心に説明する。
【００４６】
図を参照して、シールテープ１の中央部分１５の厚さが小さいため、図８で示したシールテープ６１に比べて、中央部分１５を直角に屈曲させやすい。そのため、シールテープ１を屈曲させた状態で、継ぎ目４５を覆うようにして、シールテープ１を壁面４２及び壁面４３に沿わせて粘着させやすくなっている。
【００４７】
又、粘着体２２及び粘着体２３が、それぞれ壁面４２及び壁面４３に粘着する。これにより、図１１で示したシールテープ６２と比べて、隙間４６が小さくなり、シールテープ１における帯状の長手方向の端部から水等の液体が侵入する虞が少なくなり、浸水防止性能が向上する。
【００４８】
更に、図で示した“Ｘ”部分は、図４の（２）で示したシールテープ１の使用状態に対応している。突出部３０によるシール効果が発揮されているため、この部分からも水等が侵入する虞が少なくなっている。
【００４９】
尚、上記の実施の形態では、シール本体は特定の同一素材で形成されているが、他の素材から形成されていてもよい。
【００５０】
又、上記の実施の形態では、中央部分の厚さは他の部分の厚さより小さくなっているが、素材を変更させる等して中央部分の曲げ剛性を他の部分の曲げ剛性よりも小さくすれば、中央部分の厚さは小さくなくてもよい。
【００５１】
更に、上記の実施の形態では、粘着体は特定の同一素材で形成されているが、粘着性を有するものであれば、他の素材から形成されていてもよい。
【００５２】
更に、上記の実施の形態では、粘着体は、長手方向に延びる複数の線条として形成されているが、線条でなくてもよい。又、中央部分に形成された粘着体は、その幅が少なくとも中央部分の幅より小さいものであれば、他の形状であってもよい。
【００５３】
更に、上記の実施の形態では、突出部は特定形状を有しているが、シール本体から粘着体側に突出したものであり、第１の仮想平面に対して第２の仮想平面がシール本体側に位置するものであれば、他の形状であってもよい。又、突出部はなくてもよい。
【００５４】
更に、上記の実施の形態では、粘着体はシール本体の裏面において剥き出しになっているが、粘着力の低下を防止したり、不用意に他の部分と粘着することを防止したりするために、第１の仮想平面に沿うように剥離シートをあらかじめ粘着させておき、使用の際に剥離シートをはがして使用してもよい。
【００５５】
更に、上記の実施の形態では、シールテープは左右対称となっているが、左右対称でなくてもよい。
【００５６】
更に、上記の実施の形態では、溝状部はシール本体の裏面の中央部分に形成されているが、シール本体の表面の中央部分にも形成してその厚さを更に小さくしてもよい。又、溝状部はシール本体の表面の中央部分に形成され、かつシール本体の裏面の中央部分は他の部分と面一にして、粘着体をその裏面の中央部分に形成するように構成してもよい。
【符号の説明】
【００５７】
１…シールテープ
１２…シール本体
１５…中央部分
２０〜２３…粘着体
３０〜３１…突出部
尚、各図中同一符号は同一又は相当部分を示す。
【図１】
2014122303.tif 000003
【図２】
2014122303.tif 000004
【図３】
2014122303.tif 000005
【図４】
2014122303.tif 000006
【図５】
2014122303.tif 000007
【図６】
2014122303.tif 000008
【図７】
2014122303.tif 000009
【図８】
2014122303.tif 000010
【図９】
2014122303.tif 000011
【図１０】
2014122303.tif 000012
【図１１】
2014122303.tif 000013